(57)【要約】【課題】たたきマッサージの駆動機構によって一対の施療子間に段差が生じてしまう問題を、他の弊害を招くことなくスムーズに解消する。【解決手段】施療子１０と、該施療子に揉みマッサージ動作を行わせる揉み駆動機構と、上記施療子にたたきマッサージ動作を行わせるたたき駆動機構とを備える。上記たたき駆動機構は偏心部を有する軸３１の回転で施療子にたたきマッサージ動作を行わせるものであり、上記偏心部を有する軸３１とこの軸の回転駆動用の駆動源４０との間の回転伝達部中にワンウェイクラッチ４６を備える。負荷側からの入力による回転は、ワンウェイクラッチ４６によってたたき駆動用の駆動源４０まで伝わることがない。【選択図】図１
2010075432.tif 000002
【特許請求の範囲】
【請求項１】
施療子と、該施療子に揉みマッサージ動作を行わせる揉み駆動機構と、上記施療子にたたきマッサージ動作を行わせるたたき駆動機構とを備えたマッサージ機であり、上記たたき駆動機構は偏心部を有する軸の回転で施療子にたたきマッサージ動作を行わせるものであるとともに、上記偏心部を有する軸とこの軸の回転駆動用の駆動源との間の回転伝達部中にワンウェイクラッチを備えていることを特徴とするマッサージ機。
【請求項２】
上記駆動源側のプーリと、上記偏心部を有する軸に設けたプーリとをベルトで接続した回転伝達部を備えており、上記ワンウェイクラッチは、偏心部を有する軸と、この軸に設けたプーリとの間に設けられていることを特徴とする請求項１記載のマッサージ機。
【発明の詳細な説明】
【技術分野】
【０００１】
本発明は、揉みマッサージ機能とたたきマッサージ機能とを備えたマッサージ機に関するものである。
【背景技術】
【０００２】
椅子の背もたれなどに内蔵されて人体背面に対して揉みマッサージを行うマッサージ機があるが、この種のマッサージ機において、左右一対の施療子に揉みマッサージ動作に加えて、たたきマッサージ動作も行うことができるようにしたものがある。
【０００３】
このたたきマッサージ動作は、揉みマッサージ動作との関係で、偏心部を有する軸と、一端に施療子を備えたアームとを連結して、上記偏心部を有する軸を回転させた時にアームが揺動して、施療子がたたき動作を行うようにしたものが一般的である。
【０００４】
この時、たたきマッサージ動作は、左右一対の施療子を同位相でたたき動作させるのではなく、左右交互にたたき動作がなされるようにしていると、たたきマッサージを停止させた時点での上記偏心部を有する軸の回転位置によって、左右の施療子に段差が生じてしまう。
【０００５】
特許第３５８３９３９号公報には、上記段差を解消するために、たたきマッサージの駆動源としてのモータと、上記たたき駆動用の偏心部を有する軸との間を、減速比がさほど大きくないベルトとプーリとを用いて接続し、上記段差が生じた時、人体から施療子に加わる力で上記たたき駆動用のモータを回転させることで、段差が生じない位置に一対の施療子がくるようにしている。
【０００６】
しかし、このような構成では、スムーズに段差が解消されるようにするには上記モータから上記軸までの減速比をあまり大きくできず、好ましいたたきマッサージを得るための減速比との間で問題が生じることがある上に、負荷側の入力でモータを回転させることは、ベルトとプーリにスリップが生じやすくなってしまう事態を招くものとなる。
【特許文献１】特開２００２−１５９５４９号公報
【発明の開示】
【発明が解決しようとする課題】
【０００７】
本発明は上記の従来の問題点に鑑みて発明したものであって、たたきマッサージの駆動機構によって一対の施療子間に段差が生じてしまう問題を、他の弊害を招くことなくスムーズに解消することができるマッサージ機を提供することを課題とするものである。
【課題を解決するための手段】
【０００８】
上記課題を解決するために本発明に係るマッサージ機は、施療子と、該施療子に揉みマッサージ動作を行わせる揉み駆動機構と、上記施療子にたたきマッサージ動作を行わせるたたき駆動機構とを備えたマッサージ機であり、上記たたき駆動機構は偏心部を有する軸の回転で施療子にたたきマッサージ動作を行わせるものであるとともに、上記偏心部を有する軸とこの軸の回転駆動用の駆動源との間の回転伝達部中にワンウェイクラッチを備えていることに特徴を有している。負荷側からの入力による回転は、ワンウェイクラッチによってたたき駆動用の駆動源まで伝わることがないようにしたものである。
【０００９】
この時、駆動源から偏心部を有する軸までの動力伝達部材が、駆動源側のプーリと、偏心部を有する軸に設けたプーリと、両者を接続するベルトである時、偏心部を有する軸とこの軸に設けたプーリとの間にワンウェイクラッチを設けたものとするのが好ましい。
【発明の効果】
【００１０】
本発明は、偏心部を有する軸の停止位置によって施療子間に段差が生じた時、人体が施療子を押す力で上記偏心部を有する軸を逆回転させて段差を解消させるものであり、駆動源まで逆回転させるものではないために、減速比の設定の問題を避けることができる上にスムーズに段差解消を図ることができる。
【発明を実施するための最良の形態】
【００１１】
以下、本発明を添付図面に示す実施形態に基づいて説明すると、図示例は本発明に係るマッサージ機における機構ユニットで、この機構ユニットはたとえば椅子の背もたれ内に配されて背もたれ内を上下に自走するものであり、前面中央部が開口しているフレーム９の左右の側板部間の上下には上下走行用軸５５と上下駆動軸５１と強弱駆動軸６１とが架設されており、また施療機構ブロックが上記両側板部の間に配設されている。
【００１２】
上記の上下駆動軸５１は、フレーム９の一方の側板部に固定された上下駆動用モータ５０の出力がギアボックス５２内のギア群を介して伝達されることで回転駆動されるものであり、その両端にはピニオン５３ところ５４とが夫々取り付けられている。上下駆動軸５２に設けられたころ５４は、上記上下走行軸の両端に設けられたころ（図示せず）と共に上記背もたれ内に配されたレール（図示せず）内を転動し、上下駆動軸５１に設けられた条規ピニオン５３は上記レールに付設されたラック（図示せず）と噛合する。
【００１３】
上記の強弱駆動軸６１はフレーム９の他方の側板部に固定された強弱駆動用モータ６０の出力がギアボックス６２内のギア群を介して伝達されることで回転駆動されるもので、上記施療機構ブロックを回転させるためのギア６３，６３が取り付けられている。
【００１４】
施療機構ブロックは、左右両側端に一対のギアプレート３０，３０を備えるとともに、軸３１が左右に貫通して、該軸３１の両端が上記一対の側板部で支持されることでフレーム９の上記両側板部の間に配設されたものであり、軸３１の軸回りに回動自在となっている上記ギアプレート３０，３０の外周面の歯部３００，３００は上記のギア６３，６３に噛合している。
【００１５】
また、施療機構ブロックにおける上記ギアプレート３０，３０間には、揉み駆動軸３２が架設されており、該揉み駆動軸３２には一対の施療子ユニット１，１が取り付けられている。また、一方のギアプレート３０側に揉み駆動用モータ２０が取り付けられており、この揉み駆動用モータ２０の減速出力によって揉み駆動軸３２は回転する。
【００１６】
アーム１１の先端にローラ状の施療子１０を取り付けたものとなっている各施療子ユニット１は、上記揉み駆動軸３２に設けられた偏心傾斜部３３，３３の外周に遊転自在に取り付けられている。なお、上記両偏心傾斜部３３，３３は同方向に偏心しているとともに互いに逆方向に傾いたものとなっている。
【００１７】
前記軸３１は両ギアプレート３０，３０間の部分がクランク状となっており、該クランク部分と上記アーム１１とが図６に示すように連結ロッド４５によって連結されている。なお、連結ロッド４５とクランク部分との連結部及び連結ロッド４５とアーム１１との連結部は、共に三次元的な動きが自在となる球継手で形成されている。
【００１８】
また、軸３１の一端にはプーリ４４が取り付けられている。該プーリ４４は、フレーム９の一方の側板部に固定されたたたき用モータ４０によって回転駆動されるプーリ４２に無端ベルト４３で連結されており、たたき用モータ４０によって軸回りに回転駆動される。
【００１９】
以上のように構成された機構ユニットの動作について説明すると、まず上下駆動用モータ５０で上下駆動軸５１を駆動する時、機構ユニットは前述の椅子の背もたれ内を上下に自走して施療子１０，１０の位置を上下に変更する。
【００２０】
揉み駆動用モータ２０で揉み駆動軸３２を軸回りに回転させれば、偏心傾斜部３３の外周に遊転自在に配されているとともに上記連結ロッド４５によって軸３１に連結されることで動きが規制されている施療子ユニット１は、上記偏心傾斜部３３の偏心成分及び傾斜成分によって揉み動作を行う。
【００２１】
また、強弱駆動用モータ６０で強弱駆動軸６１を駆動すれば、強弱駆動軸６１が備えるギア６３がギアプレート３０を軸３１の軸回りに回転させるために、ギアプレート３０，３０間に架設された揉み駆動軸３２に取り付けられた一対の施療子ユニット１，１は、図４に矢印で示すように軸３１を中心とした回動を行うことになって、背もたれ前方側への突出量を変化させる。このために施療子１０による施療の強弱調整を行うことができる。
【００２２】
そして、たたき駆動用のモータ４０で軸３１をその軸回りに回転させれば、軸３１が備えるクランク部分が連結ロッド４５でアーム１１に連結されていることから、クランク部分の偏心成分でアーム１１が前後に揺動するものであり、この動きによりアーム１１先端の施療子１１は図６に矢印で示す動きを行い、背もたれに持たれた人体背面に対してたたきマッサージ動作を行う。なお、一対の施療子ユニット１，１は、軸３１における偏心成分が逆方向となっているクランク部分に夫々連結されているために、両施療子ユニット１，１は位相が半分ずれた状態でたたき動作を行う。つまり、左右の施療子１０，１０は交互にたたき動作を行う。
【００２３】
上述のところから明らかなように、このマッサージ機の機構ユニットは、ギアプレート３０，３０や揉み駆動用モータ２０、揉み駆動軸３２，施療子ユニット１，１、連結ロッド４５等を備えた施療機構ブロックの強弱調整動作の際の回転が、たたき動作のための軸３１を中心としてなされるものである。
【００２４】
また、左右交互に施療子１０，１０を揺動させることで行うたたきマッサージ動作を停止して揉みマッサージ動作に移行する場合、たたきマッサージ動作を停止させた時点、すなわち軸３１の軸回りの回転を停止させた時点での偏心部であるクランク部分の位置によっては、前述のように左右の施療子１０，１０間に段差が生じてしまう。
【００２５】
この段差の解消は、前記従来例と同様に、負荷側からの入力、つまりは人体が施療子１０を押圧して軸３１を回転させることでなされるようにしているのであるが、本発明においては、軸３１とたたき駆動用のモータ４０との間にワンウェイクラッチ４６を配して、段差の解消に際してモータ４０まで回転させなくてもよいようにしている。
【００２６】
すなわち、図示例においては、軸３１に設けたプーリ４４にワンウェイクラッチ４６を内蔵させて、プーリ４４と軸３１との間の回転伝達は一方向だけとし、逆方向回転は伝達されないようにしている。このために、モータ４０を回転駆動して軸３１を一方向に回転させることによって施療子１０にたたきマッサージ動作を行わせることができると同時に、モータ４０を停止させた時の軸３１の回転位置の関係で一対の施療子１０，１０間に段差が生じても、施療子１０側からの入力による軸３１の逆回転で段差を解消することができるものであり、この時の軸３１の回転は、ワンウェイクラッチ４６の存在によってプーリ４４やベルト４３、プーリ４２、そしてモータ４０に伝わらず、従って、モータ４０と軸３１との間の減速比に全く関係なくスムーズに段差解消を図ることができる。
【００２７】
なお、上記ワンウェイクラッチ４６は、モータ４０から軸３１までの回転伝達経路中のどこに配置していてもよいが、軸３１側に近いところに配置することが、つまりはプーリ４４のところに配置することが、上記の減速比の関係で最も好ましい。
【図面の簡単な説明】
【００２８】
【図１】本発明の実施の形態の一例の斜視図である。
【図２】同上の背面側を示す斜視図である。
【図３】同上の背面図である。
【図４】同上の側面図である。
【図５】同上の縦断面図である。
【図６】図３中のＡ−Ａ線断面図である。
【符号の説明】
【００２９】
１  施療子ユニット
１０  施療子
３１  軸
４０  たたき駆動用モータ
４４  プーリ
４６  ワンウェイクラッチ
【図１】
2010075432.tif 000003
【図２】
2010075432.tif 000004
【図３】
2010075432.tif 000005
【図４】
2010075432.tif 000006
【図５】
2010075432.tif 000007
【図６】
2010075432.tif 000008